(57)【要約】【課題】  結束バンドを用いたリード線固定構造の利点を活かして一層幅広い用途に適用できる新たなリード線の固定構造を有するファン提供する。【解決手段】インペラ２ａを有するモータ２の周囲を取り囲むハウジング４は、ファン１を所定部位に取り付けるための取付用貫通孔４ｆと、この取付用貫通孔４ｆとは異なる位置であってハウジング４の表面より窪んだ案内溝４ｄ１内に設けられたリード線固定用孔とを備える。リード線６は、結束手段８によって巻回されると共に、この結束手段８がそのリード線固定用孔に挿通されてハウジング４に固定され、この結束手段８はハウジング４の表面からはみ出ないようにハウジング４の表面から窪んだ位置に配置されている。【選択図】  図１
2005256749.tif 000002
【特許請求の範囲】
【請求項１】
インペラを有するモータと、該モータの周囲を取り囲むハウジングと、を備え、該モータに電流を供給するためのリード線が該モータから該ハウジングの外部に引き出されるファンにおいて、
該ハウジングは、該ファンを所定部位に取り付けるための取付用貫通孔と、該取付用貫通孔とは異なる位置であって該ハウジングの表面より窪んだ位置に設けられたリード線固定用孔とを有し、
該リード線は、結束手段によって巻回されると共に、該結束手段が該リード線固定用孔に挿通されて該ハウジングに固定され、該結束手段は該ハウジングの表面からはみ出ないように該ハウジングの表面から窪んだ位置に配置されていることを特徴とするファン。
【請求項２】
前記結束手段は、可撓性材料からなるバンド部と、該バンド部の一端部に設けられ該バンド部がその他端部より挿通される挿通孔を有する連結部とを有し、該挿通孔の内壁と該バンド部の表面との摩擦抵抗により該バンド部の挿通孔からの抜けが阻止される構成であることを特徴とする請求項１に記載のファン。
【請求項３】
前記リード線固定用孔は、前記ハウジングの所定縁部に隣接する位置に設けられ、
前記結束手段のバンド部は、該リード線固定用孔を挿通して該所定縁部とともに前記リード線を巻回していることを特徴とする請求項２に記載のファン。
【請求項４】
前記リード線固定用孔は、前記ハウジングに貫通する貫通孔によって構成され、
前記結束手段は、前記リード線を巻回して、該結束手段の両端が該リード線固定用孔に挿通後に連結され、この連結部が該リード線固定用孔の孔径よりも大きいことを特徴とする請求項２に記載のファン。
【請求項５】
前記ハウジングは、前記インペラの外周を取り囲む枠部と、該枠部の内側に前記モータを支持するモータ支持部と、該モータ支持部と該枠部内との間に該モータ支持部を支持する接続部と、前記リード線を該モータ支持部から該枠部の外部へ案内するために該接続部に設けられた案内溝とを有し、
前記リード線は、該案内溝に沿って引き出されることを特徴とする請求項１乃至５の何れかに記載ファン。
【請求項６】
インペラを有するモータと、該モータの周囲を取り囲むハウジングと、を備え、該モータに電流を供給するためのリード線が該モータから該ハウジングの外部に引き出されるファンにおいて、
該ハウジングは、この表面より窪んだ位置から突出して設けられた突起部を有し、
該リード線は、該突起部に案内されて、結束手段により該突起部とともに結束され、該結束手段は該ハウジングの表面からはみ出ないように該ハウジングの表面から窪んだ位置に配置されていることを特徴とするファン。
【請求項７】
前記ハウジングは、前記インペラの外周を取り囲む枠部と、該枠部の内側に前記モータを支持するモータ支持部と、該モータ支持部と該枠部内との間に該モータ支持部を支持する接続部と、前記リード線を該モータ支持部から該枠部の外部へ案内するために該接続部に設けられた案内溝とを有し、
前記リード線は、該案内溝に沿って引き出されることを特徴とする請求項６に記載のファン。
【発明の詳細な説明】
【技術分野】
【０００１】
本考案は、ＯＡ機器、家電機器、及び車載向け機器等の各種機器に使用される電動モータによって駆動するファンに関し、そのモータから引き出されるリード線をファンのハウジングに固定する固定構造に関する。
【背景技術】
【０００２】
ファンは、ＯＡ機器、家電機器、及び車載向け機器等の各種機器に幅広く使用されている。ファンの一般的な構造は、インペラを有するモータと、内部にモータを支持しつつインペラによって誘起される空気流が流通する空気流路を形成するハウジングと、そのモータに電流を供給するためにそのハウジング外へ引き出されるリード線を備えている。リード線は、一端がモータ内に設けられた回路基板に接続され、回路基板を介してモータの電機子と電気的に接続され、他端がモータとは別に設けられる外部電源等に電気的に接続可能なようにハウジング外へ引き出される。モータ内のリード線は、ハウジング外へ引き出す途中に、空気流路内に浸入してインペラやモータのロータに接触したり、空気流の抵抗とならないようにハウジングに固定する構造がとられることが多い（特許文献１参照）。なお、このリード線とは、電流が通る線材に絶縁用の被覆がなされたものである。
【０００３】
通常のリード線の固定構造は、その特許文献１に示すように、ハウジングの外縁部に設けたフックにリード線を引っ掛ける構成がとられるが、確実にハウジングに固定する必要がある場合は、出願人が考案した、結束バンドを用いたリード線固定構造がある（特許文献２）。特許文献２に示すリード線の固定構造は、簡単な作業で確実にリード線をハウジングに固定することができる利点がある。
【０００４】
【特許文献１】実開昭６２−１７８７７０号公報
【特許文献２】実用新案登録第３０９１６３４号公報
【発明の開示】
【発明が解決しようとする課題】
【０００５】
本発明の目的は、結束バンドを用いたリード線固定構造の利点を活かして一層幅広い用途に適用できるように新たなリード線の固定構造をを有するファン提供することにある。
【課題を解決するための手段】
【０００６】
上記課題を解決するために、本発明のファンは、インペラを有するモータと、該モータの周囲を取り囲むハウジングと、を備え、該モータに電流を供給するためのリード線が該モータから該ハウジングの外部に引き出されるファンにおいて、  該ハウジングは、該ファンを所定部位に取り付けるための取付用貫通孔と、該取付用貫通孔とは異なる位置であって該ハウジングの表面より窪んだ位置に設けられたリード線固定用孔とを有し、該リード線は、結束手段によって巻回されると共に、該結束手段が該リード線固定用孔に挿通されて該ハウジングに固定され、該結束手段は該ハウジングの表面からはみ出ないように該ハウジングの表面から窪んだ位置に配置されていることを特徴とする。
【０００７】
前記結束手段は、可撓性材料からなるバンド部と、該バンド部の一端部に設けられ該バンド部がその他端部より挿通される挿通孔を有する連結部とを有し、該挿通孔の内壁と該バンド部の表面との摩擦抵抗により該バンド部の挿通孔からの抜けが阻止される構成であるとよい。
【０００８】
前記リード線固定用孔は、前記ハウジングの所定縁部に隣接する位置に設けられ、前記結束手段のバンド部は、該リード線固定用孔を挿通して該所定縁部とともに前記リード線を巻回する構成、或いは前記リード線固定用孔は、前記ハウジングに貫通する貫通孔によって構成され、  前記結束手段は、前記リード線を巻回して、該結束手段の両端が該リード線固定用孔に挿通後に連結され、この連結部が該リード線固定用孔の孔径よりも大きい構成とするとよい。
【０００９】
前記ハウジングは、前記インペラの外周を取り囲む枠部と、該枠部の内側に前記モータを支持するモータ支持部と、該モータ支持部と該枠部内との間に該モータ支持部を支持する接続部と、前記リード線を該モータ支持部から該枠部の外部へ案内するために該接続部に設けられた案内溝とを有し、前記リード線は、該案内溝に沿って引き出される構成とするとよい。
【００１０】
本発明の別のファンは、インペラを有するモータと、該モータの周囲を取り囲むハウジングと、を備え、該モータに電流を供給するためのリード線が該モータから該ハウジングの外部に引き出されるファンにおいて、該ハウジングは、この表面より窪んだ位置から突出して設けられた突起部を有し、該リード線は、該突起部に案内されて、結束手段により該突起部とともに結束され、該結束手段は該ハウジングの表面からはみ出ないように該ハウジングの表面から窪んだ位置に配置されていることを特徴とする。
【００１１】
前記ハウジングは、前記インペラの外周を取り囲む枠部と、該枠部の内側に前記モータを支持するモータ支持部と、該モータ支持部と該枠部内との間に該モータ支持部を支持する接続部と、前記リード線を該モータ支持部から該枠部の外部へ案内するために該接続部に設けられた案内溝とを有し、前記リード線は、該案内溝に沿って引き出される構成とするとよい。
【発明の効果】
【００１２】
本発明の何れのファンとも、結束手段によってリード線をハウジングに簡単な作業で確実に固定することができるだけでなく、その結束手段が取付用貫通孔ではなくリード線固定用孔に挿通するため、取付用貫通孔の使用に関係なくリード線をハウジングに固定することができる。しかも、リード線固定用孔がハウジング表面よりも窪んだ位置に形成されるため、結束手段がハウジングの表面からはみ出ず、当該ファンの搬送時にその結束手段が障害になって取り回しがし難くなったり、所定部位に設置する時に結束手段が邪魔になって設置上に制約を伴うといったことがない。したがって、結束手段を用いたリード線固定構造の利点を活かしつつ一層幅広い用途に適用できる新たなリード線の固定構造を備えたファンが実現する。
【発明を実施するための最良の形態】
【００１３】
本発明のファンにかかる一実施形態について図１乃至３を参照して説明する。  図１に示すファン１は、インペラ２ａを有するモータ２と、このモータ２の周囲を取り囲むハウジング４と、を備え、このモータ２に電流を供給するための２本のリード線６がモータ２からハウジング４の外部に引き出される構成である。モータ２が回転するとインペラ２ａによって空気流が誘起され、ハウジング４内を図１の矢印Ａで示す方向に流れる。ここではリード線６が２本であるが、これ以外の場合もある。
【００１４】
ハウジング４は、インペラ２ａの外周を取り囲む円筒状の枠部４ａの内側に、モータ支持部４ｂが四本の脚部４ｃ（接続部に相当）によって支持されている。４本の脚部４ｃのうちの一つ（符号４ｃ’）は、リード線６をモータ支持部４ｂから枠部４ａの外部へ案内する第一案内溝４ｄ１を有し、枠部４ａの外部のフランジ部４ｅ１に設けられた第二案内溝４ｄ２と連通している。リード線６は第一、第二案内溝４ｄ１、４ｄ２に沿って引き出される。枠部４ａの外部にはフランジ部４ｅ１の他端側にも、同形のフランジ部４ｅ２が設けられている。フランジ部４ｅ２には、後述する第三切欠き４ｇ４が形成されている。
【００１５】
第二案内溝４ｄ２は、図２（Ａ）及び３に示すようにフランジ部４ｅ１の上端面から肉厚のほぼ半分の厚みｄ１（後述の第二案内溝４ｄ２の深さに対応）だけ窪み、かつフランジ部４ｅ１の取付用貫通孔４ｆからから離れた部位に形成されている。第二案内溝４ｄ１の溝底面の内側には、フランジ部４ｅ１を貫通する矩形のリード線固定用孔４ｇ１と、このリード線固定用孔４ｇ１に対向する部位にフランジ部４ｅ１の外縁から内側に切り欠かれた第一切欠き４ｇ２と、この第一切欠き４ｇ２に隣接し同様に切り欠かれた第二切欠き４ｇ３が形成されている。第一、第二切欠き４ｇ１、４ｇ２は矩形状の空隙であるが、フランジ部４ｅ１の外縁から内側に切り欠かれる構成であれば、この形状に限らない。
【００１６】
第一案内溝４ｄ１から案内されたリード線６は、図２（Ａ）及び３に示すように第二案内溝４ｄ２のリード線固定用孔４ｇ１と第一切欠き４ｇ２との間を通り、第二切欠き４ｇ３を介して第三切欠き４ｇ４からフランジ部４ｅ２の下面側へ引き出される。その途中にリード線６は、第二案内溝４ｄ２内において結束バンド８によってハウジング４に固定されている。結束バンド８とは、例えばタイトン（株）より市販されているインシュロック（Ｒ）が知られており、ナイロン（Ｒ）のような合成樹脂により一体成形された可撓性を有するバンド部材で、このバンドの一端部にこれの他端部が挿通される挿通孔を備えた連結部を有し、この他端部を挿通孔に挿通すると、その他端部の表面と挿通孔の内壁との摩擦抵抗により抜けが阻止される構成である。
【００１７】
結束バンド８は、リード線固定用孔４ｇ１と第一切欠き４ｇ２との間に位置するリード線８の上を通り、挿通孔を有する端部側を第一切欠き４ｇ２からフランジ部４ｅ１の下面側に案内し、他端部側をリード線固定用孔４ｇ１に挿通して同様にフランジ部４ｅ１の下面側に案内し、フランジ部４ｅ１の下面側において両端部が連結されている。結束バンド８は、できるだけ小さな円環となるように締め付けて連結されていることから、２本のリード線８がフランジ部４ｅ１の表面及び結束バンド８に密着して実質的に不動に固定されている。
【００１８】
これによりリード線６は、結束バンド８およびフランジ部４ｅ１との摩擦抵抗によって、案内溝４ｄ１、４ｄ２から浮き上がったり横方向にずれたり、さらにリード線６の延在方向にもほとんど不動の固定状態を構成している。
【００１９】
結束バンド８によって固定されたリード線６は、第二切欠き４ｇ３を通って第三切欠き４ｇ４に係止されて、外部電源などと接続可能な状態でハウジング４外部へ引き出されている。
【００２０】
ところで、図２（Ａ）に示すように第一切欠き４ｇ２の開口幅ｗ１と内幅ｗ２は、図２（Ｂ）に示すようにそれぞれ結束バンド８の横幅ｗ３と肉厚ｗ４よりも大きく設定されているため、結束バンド８がフランジ部４ｅ１の外縁からはみ出ることはない。第二案内溝４ｄ２の深さｄ１は、リード線６の線径φと結束バンド８の肉厚ｗ４の和よりも大きく設定されているため、結束バンド８がフランジ部４ｅ１の上端面からはみ出ることはない。連結された結束バンド８の端部は、フランジ部４ｅ１の下面側に他方のフランジ部４ｅ２と枠部４ａとで形成される凹部１０内に位置するため、両フランジ部４ｅ１、４ｅ２の外縁からはみ出ることはない。また、第二切欠き４ｇ３は、２本のリード線６が外縁からはみ出ない程度の空隙に設定されているため、ここからもリード線６ははみ出ない。
【００２１】
以上より、このファン１は、リード線６が結束バンド８によって何れの方向にもほとんど不動に固定されていることから、リード線６が外れてインペラ２ａに接触したり、リード線６が過度に引っ張られてモータ２側の回路基板において断線不良を起こすといった不具合が発生しにくい構成となっている。また、結束バンド８が第二案内溝４ｄ２および凹部１０に収容されることでハウジング４の表面から窪んだ位置に配置されフランジ部４ｅ１からはみ出ない構成となっていることから、結束バンド８が当該ファン１の搬送時の取り回しの障害となったり、所定部への設置の邪魔になるといった不都合がない。また、結束バンド８が外部の障害物に接触しにくいため、結束バンド８がずれたり破損するといったことがない。さらに、結束バンド８は、取付用貫通孔４ｆとは別に設けたリード線固定用孔４ｇ１に挿通するため、その貫通孔４ｆの使用に関係なくリード線６を固定することができる。なお、リード線６は第二切欠き４ｇ３および第三切欠き４ｇ４に収容されているため、リード線６がこれらフランジ部４ｅ１、４ｅ２の外縁からはみ出ることはない。
【００２２】
次に上記実施形態の変形例について説明する。
【００２３】
上記結束バンド８はリード線６とフランジ部４ｅ１とを一緒に巻回する構成としていたが、これに代えて図４に示すように結束バンド８がリード線６をフランジ部４ｅ１の上面側で巻回し、これの両端を、第二案内溝４ｄ２内に設けたリード線固定用孔４ｇ１’を介してフランジ部４ｅ１の下面側で連結する構成としてもよい。結束バンド８の連結部はその貫通孔４ｇ１’の孔径より大きいため結束バンド８はフランジ部４ｅ１から外れることはない。
【００２４】
また、上記各実施形態では、第二案内溝４ｄ２内にリード線６および結束バンド８とも位置するが、これに代えて図５に示すように、第二案内溝４ｄ２とは異なる位置に結束バンド８が挿通するリード線固定用孔４ｇ１”を設ける構成としてもよい。リード線固定用孔４ｇ１”は、結束バンド８が収容できる程度にフランジ部４ｅ１の上端面及び外縁から窪んだ位置に形成され、第二案内溝４ｄ２の底面の一部はそのリード線固定用孔４ｇ１”側に切り欠かれている。リード線６は第二案内溝４ｄ２からここの切欠きを介してフランジ部４ｅ１の下面側に引き出され、結束バンド８をリード線固定用孔４ｇ１”に通してリード線６とフランジ部４ｅ１の所定縁部とが一緒に巻回される。
【００２５】
また、図１で示す実施形態は結束バンド８が所定部に設けられた貫通孔を挿通する構成であるが、これに代えて図６に示すように第二案内溝４ｄ２内のフランジ部４ｅ１の上端面から窪んだ位置に突起部４ｈを設け、図１の構成と同様に結束バンド８をリード線６と突起部４ｈを一緒に巻回する構成としてもよい。この構成では、突起部４ｈの先端に面する空隙を介して結束バンド８を挿通することができ作業性がよい。
【００２６】
また、上記各実施形態では、結束バンド８をフランジ部４ｅ１側に配置してリード線６を固定しているが、図７に示すように、上下反対にしてフランジ部４ｅ２側に上記第二案内溝４ｄ２およびリード線固定用孔４ｇ３’’’を設けてここに結束バンド８を配置するようにしてもよい。
【００２７】
また、上記各実施形態では、リード線６を一方のフランジ部４ｅ１から他方のフランジ部４ｅ２側へ引き出す構成としているが、当該ファン１の設置環境の都合によりフランジ部４ｅ１側にリード線６を接続する方が好適な場合は、リード線６を第二切欠き４ｇ４で係止しないで第二案内溝４ｄ２からそのまま引き出すようにしてもよい。これに関連して、一対のフランジ部４ｅ１、４ｅ２を何れか一方のみとしたり、或いは枠部４ａの中間部分のみに設けるといったものにも適用可能である。
【００２８】
また、上記結束バンド８は、フランジ面４ｅ１の表面からはみ出なければ上下反対にしてもよい。加えてリード線６を巻回して所定の孔または突起部に固定することができれば他の形状のものに置き換えても良い。
【００２９】
さらに、上記各実施形態では、軸流型のファンを示したが、これに代えて遠心型のファンなどにも適用することができる。
【００３０】
以上、本発明に係るファンの実施形態について説明したが、その範囲はこれに限定されるものではなく、上記変形例にて例示したように本発明の趣旨を逸脱しない範囲内で種々の変更が可能である。
【図面の簡単な説明】
【００３１】
【図１】本発明に係るファンの一実施形態を示す全体斜視図。
【図２】（Ａ）は図１に示すファンの要部平面図、（Ｂ）は結束バンドの断面図。
【図３】図１に示すファンの要部側面図。
【図４】図１に示す実施形態に対する変形例を示す要部断面図。
【図５】図１に示す実施形態に対する別の変形例を示す要部斜視図。
【図６】図１に示す実施形態に対する別の変形例を示す要部平面図。
【図７】図１に示す実施形態に対する別の変形例を示す要部側面図。
【符号の説明】
【００３２】
１  ファン
２  モータ
２ａ  インペラ
４  ハウジング
４ａ  枠部
４ｂ  モータ支持部
４ｃ、４ｃ’  脚部
４ｄ１、４ｄ２  第一、第二案内溝
４ｅ１、４ｅ２  フランジ部
４ｆ  取付用貫通孔
４ｇ１、４ｇ１’、４ｇ１”、４ｇ１’’’  リード線固定用孔
４ｇ２〜４ｇ４  第一〜第三切欠き
４ｈ  突起部
６  リード線
８  結束バンド
１０  凹部
【図１】
2005256749.tif 000003
【図２】
2005256749.tif 000004
【図３】
2005256749.tif 000005
【図４】
2005256749.tif 000006
【図５】
2005256749.tif 000007
【図６】
2005256749.tif 000008
【図７】
2005256749.tif 000009